(57)【要約】  【課題】  エリア進入判定において、通信エリア外での誤判定を削減するとともに、通信エリア内での誤判定を削減することのできるタグ装置を提供する。  【解決手段】  タグ装置３は、リーダ装置２からの信号を受信したときに、その信号の受信強度を測定するとともに、リーダ装置２からの信号を連続して受信している期間と受信していない期間を測定し、測定した受信強度と期間に基づいて、リーダ装置２の通信エリアに「進入」したか否かを判定する。この場合、リーダ装置２から第１の基準強度以上の受信強度の信号を、第１の基準期間の間、連続して受信した場合に「進入」と判定される。また、リーダ装置２から第１の基準強度より大きい第２の基準強度以上の受信強度の信号を、第１の基準期間より短い第２の基準期間の間、連続して受信した場合にも「進入」と判定される。【選択図】  図１
2013161393.tif 000002
【特許請求の範囲】
【請求項１】
リーダ装置からの信号を受信する受信部と、
前記リーダ装置からの信号の受信強度を測定する受信強度測定部と、
前記リーダ装置からの信号を連続して受信している期間と受信していない期間を測定する期間測定部と、
測定した前記受信強度と前記期間に基づいて、前記リーダ装置の通信エリアに進入したか否かを判定するエリア進入判定部と、
を備え、
前記エリア進入判定部は、
前記リーダ装置から第１の基準強度以上の受信強度の信号を、第１の基準期間の間、連続して受信した場合に、前記リーダ装置の通信エリアに進入したと判定する第１のエリア進入判定部と、
前記リーダ装置から前記第１の基準強度より大きい第２の基準強度以上の受信強度の信号を、第１の基準期間より短い第２の基準期間の間、連続して受信した場合に、前記リーダ装置の通信エリアに進入したと判定する第２のエリア進入判定部と、
を備えたことを特徴とするタグ装置。
【請求項２】
前記リーダ装置から前記第１の基準強度以上の受信強度の信号を、前記第１の基準期間の間、連続して受信しなくなった場合に、前記リーダ装置の通信エリアから退出したと判定するエリア退出判定部を備えたことを特徴とする請求項１に記載のタグ装置。
【請求項３】
表示部と操作部を備えた端末装置であって、
前記端末装置は、
リーダ装置からの信号を受信する受信部と、
前記リーダ装置からの信号の受信強度を測定する受信強度測定部と、
前記リーダ装置からの信号を連続して受信している期間と受信していない期間を測定する期間測定部と、
測定した前記受信強度と前記期間に基づいて、前記リーダ装置の通信エリアに進入したか否かを判定するエリア進入判定部と、
を備え、
前記エリア進入判定部は、
前記リーダ装置から第１の基準強度以上の受信強度の信号を、第１の基準期間の間、連続して受信した場合に、前記リーダ装置の通信エリアに進入したと判定する第１のエリア進入判定部と、
前記リーダ装置から前記第１の基準強度より大きい第２の基準強度以上の受信強度の信号を、第１の基準期間より短い第２の基準期間の間、連続して受信した場合に、前記リーダ装置の通信エリアに進入したと判定する第２のエリア進入判定部と、
を備えたことを特徴とする端末装置。
【請求項４】
リーダ装置とタグ装置を備えた通信システムであって、
前記リーダ装置は、
前記タグ装置へ信号を送信する送信部を備え、
前記タグ装置は、
リーダ装置からの信号を受信する受信部と、
前記リーダ装置からの信号の受信強度を測定する受信強度測定部と、
前記リーダ装置からの信号を連続して受信している期間と受信していない期間を測定する期間測定部と、
測定した前記受信強度と前記期間に基づいて、前記リーダ装置の通信エリアに進入したか否かを判定するエリア進入判定部と、
を備え、
前記エリア進入判定部は、
前記リーダ装置から第１の基準強度以上の受信強度の信号を、第１の基準期間の間、連続して受信した場合に、前記リーダ装置の通信エリアに進入したと判定する第１のエリア進入判定部と、
前記リーダ装置から前記第１の基準強度より大きい第２の基準強度以上の受信強度の信号を、第１の基準期間より短い第２の基準期間の間、連続して受信した場合に、前記リーダ装置の通信エリアに進入したと判定する第２のエリア進入判定部と、
を備えたことを特徴とする通信システム。
【請求項５】
タグ装置で用いられるエリア進入判定方法であって、
前記エリア進入判定方法は、
リーダ装置からの信号を受信したときに、前記リーダ装置からの信号の受信強度を測定することと、
前記リーダ装置からの信号を連続して受信している期間と受信していない期間を測定することと、
測定した前記受信強度と前記期間に基づいて、前記リーダ装置の通信エリアに進入したか否かを判定するエリア進入判定を行うことと、
を含み、
前記エリア進入判定では、
前記リーダ装置から第１の基準強度以上の受信強度の信号を、第１の基準期間の間、連続して受信した場合に、前記リーダ装置の通信エリアに進入したと判定する第１のエリア進入判定と、
前記リーダ装置から前記第１の基準強度より大きい第２の基準強度以上の受信強度の信号を、第１の基準期間より短い第２の基準期間の間、連続して受信した場合に、前記リーダ装置の通信エリアに進入したと判定する第２のエリア進入判定と、
が行われることを特徴とするエリア進入判定方法。
【請求項６】
タグ装置で実行されるエリア進入判定用のプログラムあって、
前記プログラムは、コンピュータに、
リーダ装置からの信号を受信したときに、前記リーダ装置からの信号の受信強度を測定する処理と、
前記リーダ装置からの信号を連続して受信している期間と受信していない期間を測定する処理と、
測定した前記受信強度と前記期間に基づいて、前記リーダ装置の通信エリアに進入したか否かを判定するエリア進入判定を行う処理と、
を実行させるものであり、
前記エリア進入判定では、
前記リーダ装置から第１の基準強度以上の受信強度の信号を、第１の基準期間の間、連続して受信した場合に、前記リーダ装置の通信エリアに進入したと判定する第１のエリア進入判定と、
前記リーダ装置から前記第１の基準強度より大きい第２の基準強度以上の受信強度の信号を、第１の基準期間より短い第２の基準期間の間、連続して受信した場合に、前記リーダ装置の通信エリアに進入したと判定する第２のエリア進入判定と、
が行われることを特徴とするプログラム。
【発明の詳細な説明】
【技術分野】
【０００１】
本発明は、リーダ装置の通信エリアに進入したことを通知する機能を備えたタグ装置に関するものである。
【背景技術】
【０００２】
近年、アクティブタグを用いた様々なサービス（例えば、児童や高齢者の見守りサービスや広告配信サービスなど）が提案されている。例えば、児童や高齢者の見守りサービスのシステムでは、児童や高齢者にアクティブタグ機能を備えた携帯型の端末装置（アクティブタグ装置とも呼べる）を所持させておき、自宅や公園などにリーダ装置を設置しておく。児童や高齢者がリーダ装置の通信エリア内を通過する（または、通信エリア内に滞在している）と、端末装置とリーダ装置との間で通信が行われ、その履歴が記録される。これにより、保護者（サービスの利用者）は、児童や高齢者（見守りの対象者）の所在や移動経路を知ることができる。
【０００３】
このようなサービスでは、端末装置がリーダ装置の通信エリア内に進入したか否か、あるいは、リーダ装置の通信エリアから退出したか否かを、できるだけ正確に把握することが要求されており、従来、端末装置がリーダ装置から受信した受信信号の電界強度に基づいて、その端末装置がリーダ装置の通信エリアの圏内であるか圏外であるかを判定している。
【０００４】
しかしながら、この方法ではその端末装置とリーダ装置との間を人や物などの遮蔽物が通過するなどの周囲の環境の変化によって、リーダ装置からの受信信号の電界強度が変動することも少なくない。
【０００５】
そこで、リーダから閾値以上の電界強度の値を一定期間の間、連続して受信通知を受けた場合に、通信エリアの圏内にあると判定する方法が提案されている。（たとえば特許文献１参照）
【先行技術文献】
【特許文献】
【０００６】
【特許文献１】特開２００１−２８５９４４号公報
【発明の概要】
【発明が解決しようとする課題】
【０００７】
しかしながら、上述の先行文献に開示された技術では、通信エリアの圏内進入を検出しやすくするように連続受信通知を多い回数に設定した場合は、（連続受信回数の閾値に達する前に通過し）人や物などの遮蔽物の通過が検出できなくなり、反対に、遮蔽物の通過を検出しやすくするように連続受信通知を少ない回数に設定すると、通信エリア外であるにもかかわらず誤って「通信エリアの圏内」と判定（通信エリア外でのエリア内の誤判定）されるという問題があった。
【０００８】
本発明は、上記従来の問題を解決するためになされたもので、リーダ装置の通信エリアへの進入判定（エリア進入判定）において、通信エリア外での誤判定を削減するとともに、通信エリア内での誤判定を削減することのできるタグ装置を提供することを目的とする。
【課題を解決するための手段】
【０００９】
本発明のタグ装置は、リーダ装置からの信号を受信する受信部と、前記リーダ装置からの信号の受信強度を測定する受信強度測定部と、前記リーダ装置からの信号を連続して受信している期間と受信していない期間を測定する期間測定部と、測定した前記受信強度と前記期間に基づいて、前記リーダ装置の通信エリアに進入したか否かを判定するエリア進入判定部と、を備え、前記エリア進入判定部は、前記リーダ装置から第１の基準強度以上の受信強度の信号を、第１の基準期間の間、連続して受信した場合に、前記リーダ装置の通信エリアに進入したと判定する第１のエリア進入判定部と、前記リーダ装置から前記第１の基準強度より大きい第２の基準強度以上の受信強度の信号を、第１の基準期間より短い第２の基準期間の間、連続して受信した場合に、前記リーダ装置の通信エリアに進入したと判定する第２のエリア進入判定部と、を備えた構成を有している。
【００１０】
この構成により、タグ装置では、リーダ装置からの信号の受信強度が測定されるとともに、リーダ装置からの信号を連続して受信している期間と受信していない期間が測定される。そして、測定した受信強度と期間に基づいて、タグ装置がリーダ装置の通信エリアに進入したか否かを判定するエリア進入判定が行われる。この場合、第１のエリア進入判定により、リーダ装置から第１の基準強度以上の受信強度の信号を、第１の基準期間の間、連続して受信した場合に、リーダ装置の通信エリアに進入したと判定される。また、第２のエリア進入判定により、リーダ装置から第２の基準強度（第１の基準強度より大きい強度）以上の受信強度の信号を、第２の基準期間（第１の基準期間より短い期間）の間、連続して受信した場合にも、リーダ装置の通信エリアに進入したと判定される。本発明によれば、第１のエリア進入判定を行うことにより、タグ装置がリーダ装置の通信エリア外にいるにも関わらず、通信エリア内であると判定（誤判定）される確率を低くすることができる。また、第２のエリア進入判定を行うことにより、すでにタグ装置がリーダ装置の通信エリア内に進入しているにもかかわらず、（第１のエリア進入判定により）まだ通信エリア外にいると判定されると判定（誤判定）されてしまう期間を短くすることができる。このようにして、エリア外での誤判定の削減とエリア内での誤判定の削減を、同時に実現することが可能になる。
【００１１】
また、本発明のタグ装置は、前記リーダ装置から前記第１の基準強度以上の受信強度の信号を、前記第１の基準期間の間、連続して受信しなくなった場合に、前記リーダ装置の通信エリアから退出したと判定するエリア退出判定部を備えた構成を有している。
【００１２】
この構成により、測定した受信強度と期間に基づいて、タグ装置がリーダ装置の通信エリアから退出したか否かを判定するエリア退出判定が行われる。この場合、リーダ装置から第１の基準強度以上の受信強度の信号を、第１の基準期間の間、連続して受信しなかった場合に、リーダ装置の通信エリアから退出したと判定される。これにより、タグ装置がリーダ装置の通信エリア外にいるにも関わらず、通信エリア内であると判定（誤判定）される確率を低くすることができる。
【００１３】
本発明の端末装置は、表示部と操作部を備えた端末装置であって、前記端末装置は、リーダ装置からの信号を受信する受信部と、前記リーダ装置からの信号の受信強度を測定する受信強度測定部と、前記リーダ装置からの信号を連続して受信している期間と受信していない期間を測定する期間測定部と、測定した前記受信強度と前記期間に基づいて、前記リーダ装置の通信エリアに進入したか否かを判定するエリア進入判定部と、を備え、前記エリア進入判定部は、前記リーダ装置から第１の基準強度以上の受信強度の信号を、第１の基準期間の間、連続して受信した場合に、前記リーダ装置の通信エリアに進入したと判定する第１のエリア進入判定部と、前記リーダ装置から前記第１の基準強度より大きい第２の基準強度以上の受信強度の信号を、第１の基準期間より短い第２の基準期間の間、連続して受信した場合に、前記リーダ装置の通信エリアに進入したと判定する第２のエリア進入判定部と、を備えた構成を有している。
【００１４】
この端末装置によっても、上記と同様に、エリア外での誤判定の削減とエリア内での誤判定の削減を、同時に実現することが可能になる。
【００１５】
本発明のシステムは、リーダ装置とタグ装置を備えた通信システムであって、前記リーダ装置は、前記タグ装置へ信号を送信する送信部を備え、前記タグ装置は、リーダ装置からの信号を受信する受信部と、前記リーダ装置からの信号の受信強度を測定する受信強度測定部と、前記リーダ装置からの信号を連続して受信している期間と受信していない期間を測定する期間測定部と、測定した前記受信強度と前記期間に基づいて、前記リーダ装置の通信エリアに進入したか否かを判定するエリア進入判定部と、を備え、前記エリア進入判定部は、前記リーダ装置から第１の基準強度以上の受信強度の信号を、第１の基準期間の間、連続して受信した場合に、前記リーダ装置の通信エリアに進入したと判定する第１のエリア進入判定部と、前記リーダ装置から前記第１の基準強度より大きい第２の基準強度以上の受信強度の信号を、第１の基準期間より短い第２の基準期間の間、連続して受信した場合に、前記リーダ装置の通信エリアに進入したと判定する第２のエリア進入判定部と、を備えた構成を有している。
【００１６】
このシステムによっても、上記と同様に、エリア外での誤判定の削減とエリア内での誤判定の削減を、同時に実現することが可能になる。
【００１７】
本発明の方法は、タグ装置で用いられるエリア進入判定方法であって、前記エリア進入判定方法は、リーダ装置からの信号を受信したときに、前記リーダ装置からの信号の受信強度を測定することと、前記リーダ装置からの信号を連続して受信している期間と受信していない期間を測定することと、測定した前記受信強度と前記期間に基づいて、前記リーダ装置の通信エリアに進入したか否かを判定するエリア進入判定を行うことと、を含み、前記エリア進入判定では、前記リーダ装置から第１の基準強度以上の受信強度の信号を、第１の基準期間の間、連続して受信した場合に、前記リーダ装置の通信エリアに進入したと判定する第１のエリア進入判定と、前記リーダ装置から前記第１の基準強度より大きい第２の基準強度以上の受信強度の信号を、第１の基準期間より短い第２の基準期間の間、連続して受信した場合に、前記リーダ装置の通信エリアに進入したと判定する第２のエリア進入判定と、が行われる。
【００１８】
この方法によっても、上記と同様に、エリア外での誤判定の削減とエリア内での誤判定の削減を、同時に実現することが可能になる。
【００１９】
本発明のプログラムは、タグ装置で実行されるエリア進入判定用のプログラムあって、前記プログラムは、コンピュータに、リーダ装置からの信号を受信したときに、前記リーダ装置からの信号の受信強度を測定する処理と、前記リーダ装置からの信号を連続して受信している期間と受信していない期間を測定する処理と、測定した前記受信強度と前記期間に基づいて、前記リーダ装置の通信エリアに進入したか否かを判定するエリア進入判定を行う処理と、を実行させるものであり、前記エリア進入判定では、前記リーダ装置から第１の基準強度以上の受信強度の信号を、第１の基準期間の間、連続して受信した場合に、前記リーダ装置の通信エリアに進入したと判定する第１のエリア進入判定と、前記リーダ装置から前記第１の基準強度より大きい第２の基準強度以上の受信強度の信号を、第１の基準期間より短い第２の基準期間の間、連続して受信した場合に、前記リーダ装置の通信エリアに進入したと判定する第２のエリア進入判定と、が行われる。
【００２０】
このプログラムによっても、上記と同様に、エリア外での誤判定の削減とエリア内での誤判定の削減を、同時に実現することが可能になる。
【発明の効果】
【００２１】
本発明は、リーダ装置の通信エリアへの進入判定（エリア進入判定）において、通信エリア外での誤判定を削減するとともに、通信エリア内での誤判定を削減することができるという効果を有するタグ装置を提供することができるものである。
【図面の簡単な説明】
【００２２】
【図１】本発明の実施の形態における通信システム（リーダ装置とタグ装置）のブロック図
【図２】本発明の実施の形態におけるタグ装置の制御部のブロック図
【図３】本発明の実施の形態における第１のエリア進入判定の説明図
【図４】本発明の実施の形態における第２のエリア進入判定の説明図
【発明を実施するための形態】
【００２３】
以下、本発明の実施の形態の通信システムについて、図面を用いて説明する。本実施の形態では、児童や高齢者の見守りサービス等に用いられる通信システムの場合を例示する。
【００２４】
本発明の実施の形態の通信システムの構成を、図面を参照して説明する。図１は、本実施の形態の通信システムを示すブロック図である。図１に示すように、本実施の形態の通信システム１は、リーダ装置２とタグ装置３で構成される。リーダ装置２は、自宅や公園などに設置される。タグ装置３は、見守り対象者（児童や高齢者）が所持する携帯型の端末装置である。
【００２５】
図１に示すように、リーダ装置２には、タグ装置３へ信号を送信する送信部４と、タグ装置３からの信号を受信する受信部５が備えられている。また、リーダ装置２には、各部の動作の制御（送信制御や受信制御など）を行う制御部６が備えられている。
【００２６】
タグ装置３には、リーダ装置２へ信号を送信する送信部７と、リーダ装置２からの信号を受信する受信部８が備えられている。また、タグ装置３には、リーダ装置２へ送信するデータ（送信データ）を生成する送信データ生成部９と、リーダ装置２から受信したデータ（受信データ）を格納する受信データ格納部１０が備えられている。さらに、タグ装置３には、液晶画面などの表示部１１と、入力ボタンなどの操作部１２が備えられている。なお、表示部１１と操作部１２は、タッチパネル等を利用することにより、一体とされてもよい。
【００２７】
また、このタグ装置３には、各部の動作の制御を行う制御部１３が備えられている。図２は、制御部１３の機能を説明するための機能ブロック図である。図２に示すように、制御部１３は、リーダ装置２からの信号の受信強度（ＲＳＳＩ値）を測定する受信強度測定部１４と、リーダ装置２からの信号を連続して受信している期間または受信していない期間を測定する期間測定部１５を備えている。また、制御部１３は、測定した受信強度と期間に基づいて、タグ装置３がリーダ装置２の通信エリアに進入したか退出したかを判定するエリア判定部１６を備えている。
【００２８】
エリア判定部１６は、測定した受信強度と期間に基づいて、タグ装置３がリーダ装置２の通信エリアに進入したか否かを判定する第１のエリア進入判定部１７と第２のエリア進入判定部１８を備えている。第１のエリア進入判定部１７は、リーダ装置２から所定の第１の基準強度（例えば、−７５ｄＢｍ）以上の受信強度の信号を、所定の第１の基準期間（例えば、３０秒）の間、連続して受信した場合に、リーダ装置２の通信エリアに「進入」したと判定する。例えば、図３の例では、第１の基準期間の間（ｔ３〜ｔ７までの間）、第１の基準強度（−７５ｄＢｍ）以上の受信強度の信号を連続して受信している。そのため、第１の基準期間が経過したとき（ｔ７のとき）に「進入」と判定される。
【００２９】
一方、第２のエリア進入判定部１８は、リーダ装置２から所定の第２の基準強度（例えば、−６５ｄＢｍ）以上の受信強度の信号を、所定の第２の基準期間（例えば、１０秒）の間、連続して受信した場合に、リーダ装置２の通信エリアに「進入」したと判定する。例えば、図３の例では、第２の基準期間の間（ｔ４〜ｔ５までの間）、第２の基準強度（−６５ｄＢｍ）以上の受信強度の信号を連続して受信している。そのため、第２の基準期間が経過したとき（ｔ５のとき）に「進入」と判定される。
【００３０】
この場合、第１のエリア進入判定部１７と第２のエリア進入判定部１８のいずれかで「進入」と判定されると、タグ装置３がリーダ装置２の通信エリアに進入したと判定（総合的に判定）されることになる。例えば、図３および図４の例では、第１のエリア進入判定では、ｔ７のときに「進入」と判定され、ｔ５のときには「進入」と判定されないが、第２のエリア進入判定では、ｔ５のときに「進入」と判定される。したがって、この場合には、ｔ５のときに「進入」と総合的に判定されることになる。
【００３１】
また、エリア判定部１６は、測定した受信強度と期間に基づいて、タグ装置３がリーダ装置２の通信エリアから退出したか否かを判定するエリア退出判定部１９を備えている。エリア退出判定部１９は、リーダ装置２から所定の基準強度（例えば、−７５ｄＢｍ）以上の受信強度の信号を、所定の基準期間（例えば、３０秒）の間、連続して受信しなくなった場合に、リーダ装置２の通信エリアから「退出」したと判定する。
【００３２】
図２に戻って、制御部１３の説明を続ける。上記のようなエリア判定（エリア進入判定やエリア退出判定）の判定結果は、「エリア判定状況」としてエリア判定状況管理部２０で管理される。「エリア判定状況」には、例えば「進入判定中」「滞在中」「退出判定中」「退出」などが含まれる。表示制御部２１は、表示部１１に「進入判定中」「滞在中」「退出判定中」「退出」などを表示させる制御を行う。なお、これらの「進入判定中」「滞在中」「退出判定中」「退出」は、例えば音などで通知してもよい。その場合、タグ装置３には、表示部１１の代わりに音出力部（図示せず）が設けられてもよい。また、これらの「進入判定中」「滞在中」「退出判定中」「退出」は、タグ装置３からネットワーク（携帯網や無線ＬＡＮなど）を介してサーバ（図示せず）に通知するだけでもよい。
【００３３】
エリア判定に用いられる基準強度や基準期間のデータは、基準格納部２２に格納されている（図２参照）。そして、制御部１３には、基準格納部２２に格納されている基準強度や基準期間を設定するための基準設定部２３が備えられている。例えば、複数のリーダ装置２が設置される場合、この基準設定部２３により、エリア判定に用いられる基準強度や基準期間を、リーダ装置２ごとに設定することができる。
【００３４】
また、基準設定部２３は、第１の基準強度に基づいて第２の基準強度を自動的に設定してもよい。例えば、第２の基準強度を、第１の基準強度に＋１０ｄＢｍしたものに自動的に設定してもよい。また、基準設定部２３は、第１の基準期間に基づいて第２の基準期間を自動的に設定してもよい。例えば、第２の基準期間を、第１の基準期間から−２０秒したものや、第一の基準期間を３分の１の期間にしたものに自動的に設定してもよい。この場合、第１の基準強度や第１の基準期間は、ユーザが手動で設定（指定）する。
【００３５】
さらに、基準設定部２３は、エリア退出判定に用いられる基準強度や基準期間を、サービス毎に設定することもできる。例えば、タグ装置３がリーダ装置２の通信エリアを「退出」したことを検出することが重要なサービスの場合には、エリア進入判定に用いられる基準強度や基準期間を厳しい設定値（基準強度：高、基準期間：長）に設定する。また、タグ装置３がリーダ装置２の通信エリアに「滞在」していることを検出することが重要なサービスの場合には、エリア進入判定に用いられる基準強度や基準期間を緩い設定値（基準強度：低、基準期間：短）に設定する。
【００３６】
なお、設定値（基準強度:高、基準期間：短）をより広いエリアでの退出判定に用いる場合は、基準強度を低くして、設定値（基準強度:低、期間：短）に設定してもよい。一方、設定値（基準強度:低、基準期間：長）をより狭いエリアでの退出判定に用いる場合は、基準強度を高くして設定値（基準強度:高、基準期間：長）に設定してもよい。
【００３７】
また、基準設定部２３は、エリア進入判定に用いられる基準強度や基準期間と、エリア退出判定に用いられる基準強度や基準期間とを、それぞれ異なる値に設定してもよい。例えば、エリア進入判定に用いられる基準強度や基準期間を厳しい設定値（基準強度：高、基準期間：短）に設定すると、「通過」を検知しやすくなる。そして、エリア進入判定に用いられる基準強度や基準期間を緩い設定値（基準強度：低、基準期間：長）に設定すると、「滞在」しているときの誤判定を減らすことができる。
【００３８】
なお、複数のリーダ装置２が設置される場合、エリア判定（エリア進入判定やエリア退出判定）は、リーダＩＤ（リーダ装置２ごとに設定される）を用いて、リーダ装置２ごとに行うことができる。例えば、「リーダ装置Ａ：エリアＡ、リーダ装置Ｂ：エリアＢ、リーダ装置Ｃ：エリアＣ、・・・」などのように、リーダ装置２ごとにエリア判定を行うことができる。これにより、複数のリーダ装置２の通信エリアが重なったとしても、リーダ装置２ごとに別々のエリアとしてエリア判定を行うことができる。
【００３９】
また、複数のリーダ装置２が設置される場合、リーダ装置２をグループ分けし、グループごとにエリア判定を行うこともできる。例えば、「リーダ装置Ａ〜Ｃ：エリアＡ、リーダ装置Ｄ〜Ｆ：エリアＢ、・・・」などのように、グループごとにエリア判定を行うことができる。これにより、一つのリーダ装置２では作れないようなエリア（例えば、通路や道路に沿うようなエリア）を設置することができる。
【００４０】
以上のように構成された通信システム１について、図面を参照してその動作を説明する。ここでは、図３と図４を参照しながら、本発明の特徴的な動作である「第１のエリア進入判定」と「第２のエリア進入判定」を中心に説明する。
【００４１】
図３は、「第１のエリア進入判定」の説明図である。図３に示すように、「第１のエリア進入判定」では、リーダ装置２から第１の基準強度（例えば、−７５ｄＢｍ）以上の受信強度の信号を、第１の基準期間（例えば、３０秒）の間、連続して受信した場合に、リーダ装置２の通信エリアに「進入」したと判定する。
【００４２】
図３の例では、第１の基準期間の間（ｔ３〜ｔ７までの間）、第１の基準強度（−７５ｄＢｍ）以上の受信強度の信号を連続して受信している。そのため、第１の基準期間が経過したとき（ｔ７のとき）に、リーダ装置２の通信エリアに「進入」したと判定される。
【００４３】
図４は、「第２のエリア進入判定」の説明図である。図４に示すように、「第２のエリア進入判定」では、リーダ装置２から第２の基準強度（例えば、−６５ｄＢｍ）以上の受信強度の信号を、第２の基準期間（例えば、１０秒）の間、連続して受信した場合に、リーダ装置２の通信エリアに「進入」したと判定する。
【００４４】
図４の例では、第２の基準期間の間（ｔ４〜ｔ５までの間）、第２の基準強度（−６５ｄＢｍ）以上の受信強度の信号を連続して受信している。そのため、第２の基準期間が経過したとき（ｔ５のとき）に、リーダ装置２の通信エリアに「進入」したと判定される。
【００４５】
図３および図４の例において、第１のエリア進入判定では、ｔ７のときに「進入」と判定され、第２のエリア進入判定では、ｔ５のときに「進入」と判定されるが、この場合には、ｔ５のときに、リーダ装置２の通信エリアから「進入」したと総合的に判定されることになる。
【００４６】
このような本発明の実施の形態のタグ装置３によれば、リーダ装置２の通信エリアへの進入判定（エリア進入判定）において、通信エリア外での誤判定を削減するとともに、通信エリア内での誤判定を削減することができる。
【００４７】
すなわち、本実施の形態では、タグ装置３で、リーダ装置２からの信号の受信強度が測定されるとともに、リーダ装置２からの信号を連続して受信している期間と受信していない期間が測定される。そして、測定した受信強度と期間に基づいて、タグ装置３がリーダ装置２の通信エリアに進入したか否かを判定するエリア進入判定が行われる。この場合、第１のエリア進入判定により、リーダ装置２から第１の基準強度（−７５ｄＢｍ）以上の受信強度の信号を、第１の基準期間（３０秒）の間、連続して受信した場合に、リーダ装置２の通信エリアに「進入」したと判定される。また、第２のエリア進入判定により、リーダ装置２から第２の基準強度（−６５ｄＢｍ）以上の受信強度の信号を、第２の基準期間（１０秒）の間、連続して受信した場合にも、リーダ装置２の通信エリアに「進入」したと判定される。
【００４８】
本実施の形態では、第１のエリア進入判定を行うことにより、タグ装置３がリーダ装置２の通信エリア外にいるにも関わらず、通信エリア内であると判定（誤判定）される確率を低くすることができる。また、第２のエリア進入判定を行うことにより、すでにタグ装置３がリーダ装置２の通信エリア内に進入しているにもかかわらず、（第１のエリア進入判定により）まだ通信エリア外にいると判定されると判定（誤判定）されてしまう期間を短くすることができる。このようにして、エリア外での誤判定の削減とエリア内での誤判定の削減を、同時に実現することが可能になる。
【００４９】
また、本実施の形態では、測定した受信強度と期間に基づいて、タグ装置３がリーダ装置２の通信エリアから退出したか否かを判定するエリア退出判定が行われる。この場合、リーダ装置２から基準強度（−７５ｄＢｍ）以上の受信強度の信号を、基準期間（３０秒）の間、連続して受信しなかった場合に、リーダ装置の通信エリアから「退出」したと判定される。これにより、タグ装置がリーダ装置の通信エリア外にいるにも関わらず、通信エリア内であると判定（誤判定）される確率を低くすることができる。
【００５０】
以上、本発明の実施の形態を例示により説明したが、本発明の範囲はこれらに限定されるものではなく、請求項に記載された範囲内において目的に応じて変更・変形することが可能である。
【産業上の利用可能性】
【００５１】
以上のように、本発明にかかるタグ装置は、リーダ装置の通信エリアへの進入判定（エリア進入判定）において、通信エリア外での誤判定を削減するとともに、通信エリア内での誤判定を削減することができるという効果を有し、児童や高齢者の見守りサービスまたは広告配信サービス等に適用され、有用である。
【符号の説明】
【００５２】
１  通信システム
２  リーダ装置
３  タグ装置
４  送信部
５  受信部
６  制御部
７  送信部
８  受信部
９  送信データ生成部
１０  受信データ格納部
１１  表示部
１２  操作部
１３  制御部
１４  受信強度測定部
１５  期間測定部
１６  エリア判定部
１７  第１のエリア進入判定部
１８  第２のエリア進入判定部
１９  エリア退出判定部
２０  エリア判定状況管理部
２１  表示制御部
２２  基準格納部
２３  基準設定部
【図１】
2013161393.tif 000003
【図２】
2013161393.tif 000004
【図３】
2013161393.tif 000005
【図４】
2013161393.tif 000006